(57)【要約】【課題】送信側における変調方式の変更及び受信側における復調方式の変更を人手を要することなく迅速かつ適切に行なえるようにし、これにより運用コストの低減及び降雨等による回線瞬断時間の短縮を可能とする衛星回線制御システムを提供する。【解決手段】送信局ＴＳにおいて、放送用伝送チャネルへの放送信号送出後に、衛星ＳＡＴから折り返される放送信号を受信してシステムコントローラ１７によりそのＣ／Ｎが閾値を超えるか否かを判定し、このＣ／Ｎが閾値を超えた場合に、変調回路１５の変調方式を自動的に低Ｃ／Ｎで受信可能なＱＰＳＫに変更すると同時に、放送用伝送チャネルとは別のメッセージ用伝送チャネルを介して受信局ＲＳに変調方式を変更した旨を通知する。そして、受信局ＲＳにおいて、システムコントローラ２６にて復調回路２３の復調方式をＱＰＳＫに合わせて自動的に変更するようにしている。【選択図】      図１
2007082093.tif 000002
【特許請求の範囲】
【請求項１】
送信側で変調方式を任意に制御可能な変調部にて伝送信号を変調して複数の伝送チャネルからなる衛星回線のうちの第１の伝送チャネルへ送出し、受信側で前記衛星回線からの変調信号を受信し復調方式を任意に制御可能な復調部にて復調出力する伝送システムに用いられ、
前記送信側は、
前記変調信号を送出した後に、前記衛星からの折り返し信号を受信する受信手段と、
この受信手段による受信信号の受信品質を監視する監視手段と、
この監視手段の監視結果に基づいて、前記変調部の変調方式を制御する変調制御手段と、
この変調制御手段の制御結果を、前記第１の伝送チャネルと異なる第２の伝送チャネルにより送出する制御結果送信手段とを備え、
前記受信側は、
前記送信側から第２の伝送チャネルを介して前記制御結果が送られた場合に、この制御結果に基づいて前記復調部の復調方式を制御する復調制御手段を備えたことを特徴とする衛星回線制御システム。
【請求項２】
前記監視手段は、前記受信信号を復調し、この復調信号のＣ／Ｎ（Carrier／Noise）を検出し、
前記変調制御手段は、前記Ｃ／Ｎが基準値を超えた場合に、前記変調部の変調方式を最低Ｃ／Ｎで受信可能な変調方式に変更し、
前記復調制御手段は、前記制御結果に基づいて前記復調部の復調方式を変更した変調方式に合わせることを特徴とする請求項１記載の衛星回線制御システム。
【請求項３】
送信側で変調方式を任意に制御可能な変調部にて伝送信号を変調して複数の伝送チャネルからなる衛星回線のうちの第１の伝送チャネルへ送出し、受信側で前記衛星回線からの変調信号を受信し復調方式を任意に制御可能な復調部にて復調出力する伝送システムで前記送信側として使用される送信装置において、
前記変調信号を送出した後に、前記衛星からの折り返し信号を受信する受信手段と、
この受信手段による受信信号の受信品質を監視する監視手段と、
この監視手段の監視結果に基づいて、前記変調部の変調方式を制御する変調制御手段と、
この変調制御手段の制御結果を、前記第１の伝送チャネルと異なる第２の伝送チャネルにより送出する制御結果送信手段とを具備したことを特徴とする衛星回線制御システムの送信装置。
【請求項４】
送信側で変調方式を任意に制御可能な変調部にて伝送信号を変調して複数の伝送チャネルからなる衛星回線のうちの第１の伝送チャネルへ送出し、受信側で前記衛星回線からの変調信号を受信し復調方式を任意に制御可能な復調部にて復調出力する伝送システムで前記受信側として使用される受信装置において、
前記送信側から第２の伝送チャネルを介して前記制御結果が送られた場合に、この制御結果に基づいて前記復調部の復調方式を制御する復調制御手段を備えたことを特徴とする衛星回線制御システムの受信装置。
【発明の詳細な説明】
【技術分野】
【０００１】
この発明は、衛星回線にてデータ・映像等の伝送を行なう場合に、伝送信号の変調方式を可変設定して降雨等による回線品質劣化の改善を図るための衛星回線制御システム及びその送信装置及び受信装置に関する。
【背景技術】
【０００２】
放送システムにあっては、送信局と受信局とを衛星回線により接続する伝送システムが構築されている。この送信局では、衛星回線にて信号を伝送する場合、狭い帯域幅で容量の大きい信号の伝送が行なえるように１６ＱＡＭ(Quadrature Amplitude Modulation)、８ＰＳＫ(Phase Shift Keying)等の変調度の大きい変調方式で信号を伝送する。
【０００３】
このようなシステムを用いれば、送信局は遠隔地に設置される多数の受信局に対し放送信号を伝送することができる。
【０００４】
ところが、変調度の大きい信号は復調可能な最低動作Ｃ／Ｎ（Carrier／Noise）が大きく、降雨等による信号の減衰には弱く回線稼働率が低くなってしまう。この場合、降雨時に、送信局のオペレータが手動にて変調方式をＱＰＳＫ(Quadrature Phase Shift Keying)等の低Ｃ／Ｎでも受信可能な方式に切り替えて運用を行なっている。このため、送信局及び各受信局にオペレータを常時駐在させておく必要があり、人件費及び運用経費の増大を招いてしまうことになる。
【０００５】
なお、従来では、衛星回線とは別に、地上回線網を介して送信局と各受信局とを接続し、各受信局から回線品質状態を示す情報を送信局へ通知し、送信局にて変調方式を低Ｃ／Ｎでも受信可能な方式に切り替える手法も提案されている（例えば、特許文献１）。
【特許文献１】特開２００１−５３８２４号公報。
【発明の開示】
【発明が解決しようとする課題】
【０００６】
しかしながら、上記システムでは、衛星回線とは別に、各受信局から回線品質状態を示す情報を送信局へ通知するための地上通信網を敷設しなければならないため、システム構成が大掛かりなものとなるとともに、その設備コストも大きくなってしまうことになる。
【０００７】
そこで、この発明の目的は、送信側における変調方式の変更及び受信側における復調方式の変更を人手を要することなく迅速かつ適切に行なえるようにし、これにより運用コストの低減及び降雨等による回線瞬断時間の短縮を可能とする衛星回線制御システム及びその送信装置及び受信装置を提供することにある。
【課題を解決するための手段】
【０００８】
この発明は、上記目的を達成するために、以下のように構成される。  
送信側で変調方式を任意に制御可能な変調部にて伝送信号を変調して複数の伝送チャネルからなる衛星回線のうちの第１の伝送チャネルへ送出し、受信側で衛星回線からの変調信号を受信し復調方式を任意に制御可能な復調部にて復調出力する伝送システムに用いられ、送信側は、変調信号を送出した後に、衛星からの折り返し信号を受信する受信手段と、この受信手段による受信信号の受信品質を監視する監視手段と、この監視手段の監視結果に基づいて、変調部の変調方式を制御する変調制御手段と、この変調制御手段の制御結果を、第１の伝送チャネルと異なる第２の伝送チャネルにより送出する制御結果送信手段とを備え、受信側は、送信側から第２の伝送チャネルを介して制御結果が送られた場合に、この制御結果に基づいて復調部の復調方式を制御する復調制御手段を備えるようにしたものである。
【０００９】
この構成によれば、送信側で第１の伝送チャネルへの変調信号送出後に、衛星から折り返される変調信号を受信してその受信品質を検出し、この受信品質が閾値を超えた場合に、変調部の変調方式を自動的に低品質で受信可能な変調方式に変更すると同時に、第１の伝送チャネルとは別の第２の伝送チャネルを介して受信側に変調方式を変更した旨を通知し、受信側で復調方式を送信側の変調方式に合わせて自動的に変更するようにしている。
【００１０】
従って、降雨等による受信品質劣化時に、人手を要することなく自動的に変調方式を変えることができ、これにより降雨等による回線瞬断時間を短縮することができ、総合的に回線稼働率を向上させることができる。また、衛星による変調信号の折り返し及び第２の伝送チャネルを利用することにより、別途専用回線を敷設する必要がなく、これにより運用コストの低減を図ることができる。
【発明の効果】
【００１１】
以上詳述したようにこの発明によれば、送信側における変調方式の変更及び受信側における復調方式の変更を人手を要することなく迅速かつ適切に行なえるようにし、これにより運用コストの低減及び降雨等による回線瞬断時間の短縮を可能とする衛星回線制御システム及びその送信装置及び受信装置を提供することができる。
【発明を実施するための最良の形態】
【００１２】
以下、この発明の実施形態について図面を参照して詳細に説明する。  
図１は、この発明に係わる衛星回線制御システムの一実施形態を示す概略構成図であり、ＴＳは送信局、ＲＳは受信局をそれぞれ示している。
【００１３】
先ず送信局ＴＳは、図示しない放送素材送信処理部から出力された放送素材データをエンコーダ（ＥＮＣ）１１に入力している。エンコーダ１１は、入力された放送素材データを符号化し、この符号化データを変調回路（ＭＯＤ）１２に出力する。変調回路１２は、入力された符号化データを１６ＱＡＭまたは８ＰＳＫにより変調信号に変換し、この変調信号を送受信部１３に供給する。
【００１４】
送受信部１３は、上記変調信号を放送信号の搬送波周波数に周波数変換したのち所定の送信電力レベルに増幅し、この増幅された放送信号をアンテナ１４から所定の放送用伝送チャネルにより衛星ＳＡＴに向け送信する。
【００１５】
また、送受信部１３は、衛星ＳＡＴから折り返された放送信号を受信し、この受信信号を復調回路（ＤＥＭ）１５に供給する。復調回路１５は、受信信号をデジタル復調してベースバンドの符号化データを復号回路（ＤＥＣ）１６に出力する。復号回路１６は、入力された符号化データを復号して元の放送素材データに戻す。
【００１６】
一方、復調回路１５の出力はシステムコントローラ１７に取り込まれ、ここでＣ／Ｎが閾値を超えるか否かの判定が行なわれる。そして、Ｃ／Ｎが閾値を超えた場合に、システムコントローラ１７は変調回路１２の変調方式を１６ＱＡＭまたは８ＰＳＫからＱＰＳＫに変更するとともに、その変更した旨のメッセージを変調回路１８に出力する。
【００１７】
変調回路１８は、上記メッセージをＱＰＳＫで変調して送受信部１３に出力する。すると、送受信部１３は、変調メッセージをアンテナ１４から上記放送用伝送チャネルとは異なるメッセージ用伝送チャネルにより衛星ＳＡＴに向け送信する。
【００１８】
一方、受信局ＲＳは次のように構成される。すなわち、送信局ＴＳから放送用伝送チャネルにより伝送された放送信号は、アンテナ２１を介して受信部２２で受信されたのち復調回路（ＤＥＭ）２３に入力され、ここで１６ＱＡＭまたは８ＰＳＫに対応する復調方式で復調され、復号回路（ＤＥＣ）２４で所定の復号処理が施される。
【００１９】
また、送信局ＴＳからメッセージ用伝送チャネルにより伝送された変調メッセージは、受信部２２で受信されたのち復調回路２５に入力され、ここで元のメッセージに戻された後、システムコントローラ２６に出力される。
【００２０】
システムコントローラ２６は、上記メッセージに基づいて、復調回路２３の復調方式を１６ＱＡＭまたは８ＰＳＫに対応する復調方式からＱＰＳＫに対応する復調方式に設定変更する。
【００２１】
次に、以上のように構成された衛星回線制御システムの動作を説明する。図２は、送信局ＴＳの動作手順とその内容を示すフローチャートである。
【００２２】
送信局ＴＳは、ステップＳＴ２ａにおいて放送信号を放送用伝送チャネルにより衛星ＳＡＴに向け送信する。なお、この状態で、放送信号は１６ＱＡＭまたは８ＰＳＫにより変調されている。
【００２３】
そして、送信局ＴＳは、ステップＳＴ２ｂにおいて衛星ＳＡＴにより折り返される放送信号の到来を監視している。この状態で放送信号が到来すると、ステップＳＴ２ｃに移行してここでシステムコントローラ１７により放送信号の復調出力からＣ／Ｎを抽出する。
【００２４】
システムコントローラ１７は、上記Ｃ／Ｎが閾値を超えるか否かの判断を行い（ステップＳＴ２ｄ）、上記Ｃ／Ｎが閾値を超えない場合には（Ｎｏ）、変調回路１２の変調方式を１６ＱＡＭまたは８ＰＳＫに維持するが、上記Ｃ／Ｎが閾値を超えた場合（Ｙｅｓ）、変調回路１２の変調方式を１６ＱＡＭまたは８ＰＳＫからＱＰＳＫに設定変更し（ステップＳＴ２ｅ）、その変更の旨のメッセージを変調回路１８に出力して、メッセージ用伝送チャネルにより受信局ＲＳへ送信させる（ステップＳＴ２ｆ）。
【００２５】
これに対し受信局ＲＳは、システムコントローラ２６により上記メッセージに基づいて、復調回路２３の復調方式を１６ＱＡＭまたは８ＰＳＫに対応する復調方式からＱＰＳＫに対応する復調方式に設定変更する。
【００２６】
以上のように上記実施形態では、送信局ＴＳにおいて、放送用伝送チャネルへの放送信号送出後に、衛星ＳＡＴから折り返される放送信号を受信してシステムコントローラ１７によりそのＣ／Ｎが閾値を超えるか否かを判定し、このＣ／Ｎが閾値を超えた場合に、変調回路１５の変調方式を自動的に低Ｃ／Ｎで受信可能なＱＰＳＫに変更すると同時に、放送用伝送チャネルとは別のメッセージ用伝送チャネルを介して受信局ＲＳに変調方式を変更した旨を通知する。そして、受信局ＲＳにおいて、システムコントローラ２６にて復調回路２３の復調方式をＱＰＳＫに合わせて自動的に変更するようにしている。
【００２７】
従って、降雨等によるＣ／Ｎ劣化時に、人手を要することなく自動的に変調方式を変えることができ、これにより降雨等による回線瞬断時間を短縮することができ、総合的に回線稼働率を向上させることができる。
【００２８】
また、衛星ＳＡＴによる放送信号の折り返し及びメッセージ用伝送チャネルを利用することにより、別途専用回線を敷設する必要がなく、これによりシステム全体の運用コストの低減を図ることができる。
【００２９】
なお、上記実施形態では、変調方式の変更条件として、衛星ＳＡＴからの折り返しによる放送信号のＣ／Ｎを監視する例について説明したが、Ｃ／Ｎ以外の受信品質を用いるようにしてもよい。
【００３０】
その他、送信局及び受信局の構成、変調方式及び復調方式の種類等についても、この発明の要旨を逸脱しない範囲で種々変形して実施できる。
【図面の簡単な説明】
【００３１】
【図１】この発明に係わる衛星回線制御システムの一実施形態を示す概略構成図。
【図２】図１に示したシステムの送信局の動作手順とその内容を示すフローチャート。
【符号の説明】
【００３２】
１１…エンコーダ（ＥＮＣ）、１２，１８…変調回路（ＭＯＤ）、１３…送受信部、１４，２１…アンテナ、１５，２３，２５…復調回路（ＤＥＭ）、１６，２４…復号回路（ＤＥＣ）、１７，２６…システムコントローラ、２２…受信部、ＴＳ…送信局、ＲＳ…受信局、ＳＡＴ…衛星。
【図１】
2007082093.tif 000003
【図２】
2007082093.tif 000004